(57)【要約】【課題】鏡を使用者に近づけて使用でき、十分な照明性を備え、かつ、鏡を使用中でも化粧品等の小物を出し入れできるミラーキャビネットを提供する。【解決手段】両開き扉を有する収納キャビネット１と鏡２とからなるミラーキャビネットＡであって、該鏡２は上記両開き扉を構成する左右両扉１２、１１のいずれかの扉の自由端１１２に軸支されるとともに、上記両開き扉を閉じたときは正面に位置し、上記両開き扉を開けたときは、回動自在に使用できるようにされたミラーキャビネット。【選択図】図１
2005323659.tif 000002
【特許請求の範囲】
【請求項１】
両開き扉を有する収納キャビネットと鏡とからなるミラーキャビネットであって、該鏡は上記両開き扉を構成する左右両扉のいずれかの扉の自由端に軸支されるとともに、上記両開き扉を閉じたときは正面に位置し、上記両開き扉を開けたときは、回動自在に使用できるようにされたミラーキャビネット。
【請求項２】
上記両開き扉を閉じたとき、上記鏡を収容する凹部が左右両扉に亘って設けられた請求項１に記載のミラーキャビネット。
【請求項３】
上記左右両扉に亘って設けられた鏡収容凹部を切欠いて、鏡自身が左右両扉の一部を構成するようにされた請求項１に記載のミラーキャビネット。
【請求項４】
上記収納キャビネット内の上部と下部とに照明部が設けられるとともに、上記両開き扉が透光性材料から形成された請求項１に記載のミラーキャビネット。
【発明の詳細な説明】
【技術分野】
【０００１】
本発明は、ミラーキャビネットに関する。さらに詳しくは、鏡を使用者に近づけて化粧等を行なえるとともに、とくに、部分化粧に適した照明効果が得られるミラーキャビネットの構造に関する。
【背景技術】
【０００２】
従来、洗面化粧台において、二面鏡や三面鏡タイプのミラーキャビネットに顔等を映す場合、とくに部分化粧を施すときは、通常、使用者が近づいて、目元、口元等のメークアップを行っていた。また、照明も上からのみ照らすのが一般的であり、顔面に陰影ができ易いため、近年の進歩した化粧技術を用いて目元、口元等の細かい化粧を施すには十分とはいえない。また、鏡を使用中は収納キャビネット内の化粧品等小物を取り出せないため、使い勝手が悪いという問題もある。
【特許文献１】実開平５−３７１５０号公報（第１−２頁、第１、２図）
【発明の開示】
【発明が解決しようとする課題】
【０００３】
本発明は上記問題を解決して、部分化粧を施す場合や顔面の特定部位だけを映したい場合に使用者が鏡に近づく必要がなく、鏡を使用者に近づけて使用できるとともに、細かいメークアップ等を行なうに十分な照明性を備え、かつ、鏡を使用中でも、キャビネット内の化粧品等の小物を出し入れできるミラーキャビネットを提供することをその課題とする。
【課題を解決するための手段】
【０００４】
上記課題を解決するために、本発明においては、つぎのような技術的手段を講じている。すなわち、本発明によれば、両開き扉を有する収納キャビネットと鏡とからなるミラーキャビネットであって、該鏡は上記両開き扉を構成する左右両扉のいずれかの扉の自由端に軸支されるとともに、上記両開き扉を閉じたときは正面に位置し、上記両開き扉を開けたときは、回動自在に使用できるようにされたミラーキャビネットが提供される。このとき、鏡の形としては、円形、長円形、角形等とくに限定されず、いずれの形態とすることも可能である。
【０００５】
上記両開き扉を閉じたとき、鏡を収容する凹部が左右両扉に亘って設けられることが好ましい。このとき、上記左右両扉に亘って設けられた鏡収容凹部の深さはそれぞれ、鏡の厚みとほぼ同じとされることが好ましい。さらに、上記左右両鏡収容凹部を切欠いて、鏡自身が左右両扉の一部を構成するようにしてもよい。
【０００６】
さらに、上記収納キャビネット内の上部と下部とに照明部が設けられるとともに、上記両開き扉が透光性材料から形成されることが好ましい。透光性材料としては、例えば、半透明、乳白色のプラスチックパネル等が用いられる。
【発明の効果】
【０００７】
請求項１に記載の発明は上記のとおりであり、鏡が、両開き扉を閉じたときは正面に位置し、上記両開き扉を開けたときは回動自在に使用できるようにされているため、鏡を支持する扉を手前に引くとともに、その自由端に軸支された鏡を使用者の目元、口元等の特定部分に近づけて回動させることにより、部分化粧等の細かいメークアップを容易に行なうことができる。
【０００８】
上記両開き扉を閉じたとき、鏡を収容する凹部が左右両扉に亘って設けられ、また、上記左右両鏡収容凹部の深さを、それぞれ、鏡の厚みとほぼ同じとすることにより、鏡の表面が両開き扉と面一になるとともに、見栄えよく正面に位置させることができる。
【０００９】
上記左右両鏡収容凹部を切欠いて、鏡自身が上記左右両扉の一部となるように構成されているため、扉を手前に引いて鏡を回動させ、目元、口元等の特定部分を近づけて部分化粧等を容易に行なうことができるとともに、鏡を使用しながら上記切欠き部から、使い勝手よく化粧品等の小物を出し入れできる。
【００１０】
さらに、上記収納キャビネット内の上部と下部とに照明部を設けるとともに、上記両開き扉を透光性材料から形成することにより、上部照明部と下部照明部とから間接光が投光され、両開き扉全面から柔らかな透過光が投光されるため、顔全体が淡く照らされて影ができにくく、化粧等に適した採光をすることができる。
【発明を実施するための最良の形態】
【００１１】
以下、本発明の実施形態について図面を参照して、詳細に説明する。図１は、本発明の第一実施形態にかかるミラーキャビネットＡを示す斜視図である。図１からよくわかるように、上記ミラーキャビネットＡは、両開き扉を構成する左扉１２と右扉１１とを備えた収納キャビネット１と鏡２とからなり、右扉１１の自由端１１２には鏡２が、図示しないヒンジにより回動自在に軸支されている。
【００１２】
また、左扉１２には鏡２の左半分を収容する凹部１２１が、右扉１１には鏡２の右半分を収容する凹部１１１が、それぞれ設けられ、これら左鏡収容凹部１２１、右鏡収容凹部１１１の深さはそれぞれ、鏡２の厚みとほぼ同じとされている。図１から、右扉１１を手前に引くとともに、その自由端１１２に軸支された鏡２を使用者の目元、口元等の特定部分に近づけて回動することにより、部分メークアップ等の細かい作業を容易に行なえることが明らかである。なお、符号３は、収納キャビネット１内の上部に設けられた後記する上部照明部を示す。
【００１３】
図２は、左扉１２と右扉１１とを閉じて、正面に鏡２を位置させた状態を示す斜視図である。図２によく示されているように、左鏡収容凹部１２１と右鏡収容凹部１１１との深さが鏡２の厚みとほぼ同じとされているため、鏡２の表面が左扉１２と右扉１１と面一になるとともに、左右両扉１２、１１に亘って見栄えよく収容されていることがわかる。
【００１４】
図３は、本発明の第二実施形態にかかるミラーキャビネットＢを示す斜視図であり、図１に示された左右両鏡収容凹部１２１、１１１を形成するそれぞれの背板が切欠かれ、左右両扉１２、１１を閉じたとき、鏡２自身が左扉１２と右扉１１との一部となるように構成されている。図３からよくわかるように、上記ミラーキャビネットＢにおいても第一実施形態と同様に、右扉１１を手前に引いて近づけ、鏡２を回動させれば、目元、口元等の特定部分のメークアップ等を容易に行なうことができる。また、鏡２を使用しながら上記の切欠き部から、使い勝手よく化粧品等の小物を出し入れすることができる。
【００１５】
図４は上記第二実施形態において、収納キャビネット１内に上部照明部３と下部照明部４とを設けるとともに、左扉１２と右扉１１とを透光性材料から構成したミラーキャビネットＣを壁面Ｗに取り付けた状態を示す側断面図である。図４からよくわかるように、上記第二実施形態の変形例においては、上部照明部３から上方に間接光が投光されるとともに、下部照明部４から手元を照らす間接光が投光され、また、右扉１１と左扉１２とを透光性材料、例えば、半透明、乳白色のプラスチックパネルから形成することにより、左右両扉１２、１１全面から柔らかな透過光が投光される。その結果、顔全体が淡く照らされて影ができにくく、化粧等に適した採光をすることができる。
【図面の簡単な説明】
【００１６】
【図１】本発明の第一実施形態にかかるミラーキャビネットを示す斜視図である。
【図２】正面に鏡を位置させた第一実施形態のミラーキャビネットを示す斜視図である。
【図３】本発明の第二実施形態にかかるミラーキャビネットを示す斜視図である。
【図４】本発明の第二実施形態における変形例を示す側断面図である。
【符号の説明】
【００１７】
Ａ          第一実施形態にかかるミラーキャビネット
１          収納キャビネット
１１        右扉
１１１      右鏡収容凹部
１１２      自由端
１２        左扉
１２１      左鏡収容凹部
２          鏡
Ｂ          第二実施形態にかかるミラーキャビネット
Ｃ          第二実施形態の変形例にかかるミラーキャビネット
３          上部照明部
４          下部照明部
Ｗ          壁面
【図１】
2005323659.tif 000003
【図２】
2005323659.tif 000004
【図３】
2005323659.tif 000005
【図４】
2005323659.tif 000006